(57)【要約】      （修正有）【課題】大気への熱負荷を軽減する空気調和機の熱回収システムを提供する。【解決手段】空気調和機の室外機１の吹き出し口５の前面に、熱交換装置１３を上面が前方斜め上方に向くように傾斜させてベース７の上に設けることにより、空気調和機の冷房運転時において、吹き出し口５から放出される熱風を熱交換装置１３で捕らえるので、熱風によって熱交換装置１３内の水は温められる。さらに、暖かい外気を太陽電池パネル１２の発電電力又は常用交流電源により運転する室外機のファン１０又はクロスフローファン１６により、暖かい外気を熱交換装置１３に吹き付けると共に、傾斜して設けた熱交換装置１３に、太陽の放射熱を集熱して、熱交換装置１３内の水を温めて、温水として有効に利用でき、例えば、浴槽へ使用すれば、風呂の追い焚きの光熱費の削減及び大気への熱負荷の軽減になる。【選択図】図２
2010091241.tif 000002
【特許請求の範囲】
【請求項１】
空気調和機の室外機の吹き出し口から放出される熱風の熱及び太陽の放射熱を吸熱する為の熱交換装置を、該吹き出し口前面に、上面が前方斜め上方に向くように傾斜させて設けたことを特徴とする空気調和機の熱回収システム。
【請求項２】
前記熱交換装置は、階段状に複数枚並設されているフィンに蛇行状に貫通している伝熱管と該伝熱管の内部に水を送水するための水入口及び水出口とで構成されていることを特徴とする請求項１に記載の空気調和機の熱回収システム。
【請求項３】
前記熱交換装置に外気を吹き付ける為のクロスフローファンを設けたことを特徴とする請求項１又は２に記載の空気調和機の熱回収システム。
【請求項４】
前記熱交換装置の左右に、クロスフローファンを設けたことを特徴とする請求項３に記載の空気調和機の熱回収システム。
【請求項５】
前記熱交換装置の上に枠を設け、該枠の天井面に太陽電池パネルを配置して、前記室外機に当たる太陽光を遮断して、日除けをすると共に、該太陽電池パネルの出力により前記クロスフローファンを駆動するようにしたことを特徴とする請求項４に記載の空気調和機の熱回収システム。
【請求項６】
前記熱交換装置に外気を送風する為に、前記室外機のファンを前記太陽電池パネルの出力により駆動するようにしたことを特徴とする請求項５に記載の空気調和機の熱回収システム。
【請求項７】
前記室外機及び傾斜している前記熱交換装置をベースの上に設けて、前記吹き出し口から放出される熱風が、漏れずに該熱交換装置だけを通過する様に、該室外機・該熱交換装置及び該ベースの左右の側面を透明板で覆ったことを特徴とする請求項６に記載の空気調和機の熱回収システム。
【発明の詳細な説明】
【技術分野】
【０００１】  本発明は、光熱費の削減及び地球温暖化の原因となっている大気への熱負荷を軽減することを図った空気調和機の熱回収システムに関するものである。
【背景技術】
【０００２】  空気調和機は、室内に設置され、内部の熱交換器で冷媒と室内の空気との間で熱交換を行う室内機と、室内機と冷媒管を介して接続され、室内機で熱交換を行った冷媒と外気との熱交換を行う室外機とを備えている。そのような従来の空気調和機の室外機は、冷房運転において、冷媒と熱交換して温度が上昇した空気を吹き出し口から放出させるようにしている。
【発明の開示】
【発明が解決しようとする課題】
【０００３】  しかしながら、そのようにして室外機から放出される熱風は、大気への熱負荷となって環境上の問題となるだけでなく、熱風が持っているエネルギーを利用せずに無駄に捨てているという問題点もあった。さらに、暖かい外気及び太陽の放射熱の自然エネルギーも有効利用できていなかった。【０００４】  本発明は、そのような問題点に鑑み、次のことを目的とするものである。
（イ）空気調和機の室外機の冷房運転において、吹き出し口から放出される熱風を冷却すると共に、熱風を有効利用する。
（ロ）太陽の放射熱及び暖かい外気を有効利用する。
（ハ）室外機に日除けを設けて、空気調和機の冷房効率を上げる。
【課題を解決するための手段】
【０００５】  前記課題を解決するため、本願の請求項１にかかる発明は、空気調和機の室外機の吹き出し口から放出される熱風の熱及び太陽の放射熱を吸熱する為の熱交換装置を、該吹き出し口前面に、上面が前方斜め上方に向くように傾斜させて設けたことを特徴とする。【０００６】    また、本願の請求項２にかかる発明は、請求項１にかかる発明において、前記熱交換装置は、階段状に複数枚並設されているフィンに蛇行状に貫通している伝熱管と該伝熱管の内部に水を送水するための水入口及び水出口とで構成されていることを特徴とする。【０００７】  また、本願の請求項３にかかる発明は、請求項１又は２にかかる発明において、前記熱交換装置に外気を吹き付ける為のクロスフローファンを設けたことを特徴とする。【０００８】  また、本願の請求項４にかかる発明は、請求項３にかかる発明において、前記熱交換装置の左右に、クロスフローファンを設けたことを特徴とする。【０００９】  また、本願の請求項５にかかる発明は、請求項３又は４にかかる発明において、前記熱交換装置の上に枠を設け、該枠の天井面に太陽電池パネルを配置して、前記室外機に当たる太陽光を遮断して、日除けをすると共に、該太陽電池パネルの出力により前記クロスフローファンを駆動するようにしたことを特徴とする。【００１０】  また、本願の請求項６にかかる発明は、請求項５にかかる発明において、前記熱交換装置に外気を送風する為に、前記室外機のファンを前記太陽電池パネルの出力により駆動するようにしたことを特徴とする。【００１１】  また、本願の請求項７にかかわる説明は、請求項６にかかわる説明において、前記室外機及び傾斜している前記熱交換装置をベースの上に設けて、前記吹き出し口から放出される熱風が、漏れずに該熱交換装置だけを通過する様に、該室外機・該熱交換装置及び該ベースの左右の側面を透明板で覆ったことを特徴とする。
【発明の効果】
【００１２】  本発明の空気調和機の熱回収システムは、次のような効果を奏する。
すなわち、請求項１にかかる発明は、熱交換装置を室外機の吹き出し口前面に、上面が前方斜め上方に向くように傾斜させ設けたので、広い面積で太陽の放射熱を集熱すると共に、吹き出し口から放出する熱風も捕らえることができる。【００１３】  また、請求項２にかかわる発明は、請求項１にかかわる空気調和機の熱回収システムにおいて、熱交換装置は、階段状に複数枚並設されているフィンに蛇行状に貫通している伝熱管と該伝熱管の内部に水を送水するための水入口及び水出口とで構成されている熱交換装置を、室外機の吹き出し口の前面に、上面が前方斜め上方に向くように傾斜させて設け、空気調和機の冷房運転時において、前記吹き出し口から放出される熱風の熱を、前記熱交換装置の伝熱管の内部に流す水に回収させるようにした。その結果、冷房運転において、吹き出し口から放出される熱風は、水により冷却された熱交換装置の伝熱管及びフィンに接触することにより、冷却され大気中へ放出するので、大気への熱負荷は軽減する。
逆に、吹き出し口の前面に傾斜して設けられている、熱交換装置の伝熱管の内部の水は、熱風により温まる。そのようにして温まった水は、温水として有効に利用でき、例えば、浴槽へ使用すれば、風呂の追い焚きの光熱費の削減及び大気への熱負荷の軽減になる。
さらに、熱交換装置のフィンを階段状に複数枚並設させたことにより、太陽の放射熱を集熱して、熱交換装置のフィン・伝熱管及び伝熱管の内部の水は温まる。そのようにして温まった水も、温水として有効に利用でき、例えば、浴槽へ使用すれば、風呂の追い焚きの光熱費の削減及び大気への熱負荷の軽減になる。【００１４】  また、請求項３にかかる発明は、請求項１又は２にかかる空気調和機の熱回収システムにおいて、熱交換装置に外気を吹き付ける為のクロスフローファンを設けたので、該クロスフローファンの運転により、暖かい外気を熱交換装置に吹き付けることにより効率よく熱交換装置の内部の水を温めることができる。【００１５】  また、請求項４にかかる発明は、請求項３にかかる空気調和機の熱回収システムにおいて、クロスフローファンを、熱交換装置の左右に設けたので、暖かい外気を効率よく熱交換装置に吹き付けることができる。【００１６】  また、請求項５にかかる発明は、請求項３又は４にかかわる空気調和機の熱回収システムにおいて、熱交換装置の上に枠を設け、枠の天井面に太陽電池パネルを配設し、太陽電池パネルの出力により記クロスフローファンを駆動するようにしたので、運転を省エネ化できると共に、傾斜して設けている熱交換装置及び太陽電池パネルにより、室外機に当たる太陽光を遮断して、日除けにより空気調和機の冷房効率を上げる。【００１７】  また、請求項６にかかる発明は、請求項５にかかる空気調和機の熱回収システムにおいて、熱交換装置に外気を送風する為に、太陽電池パネルの出力により室外機のファンを駆動するようにしたので、運転を省エネ化できると共に、室外機ファンの運転により、暖かい外気を熱交換装置に送風することにより効率よく熱交換装置の伝熱管内部の水を温めることができる。【００１８】  また、請求項７にかかる発明は、請求項６にかかる熱回収システムにおいて、室外機・熱交換装置及びベースの左右の側面を透明板で密着して覆ったので、吹き出し口から放出される熱風は、漏れずに熱交換装置だけを通過させて捕らえると共に、透明板により太陽光を透過させるので、効率よく熱交換装置に集熱することができる。
【発明を実施するための最良の形態】
【００１９】  以下、本発明の実施するための形態を図１〜図１６に基づいて説明する。
【実施例】
【００２０】  図１は、従来の空気調和機の構成図である。図１において、本発明の空気調和機は、従来と同様に室外機１，室内機２，冷媒配管３，信号線４にて構成されている。【００２１】  図２は、本発明の一実施例に係る空気調和機の熱回収システムの断面図である。図２において、従来の室外機１の吹き出し口５を境に、本発明の室外機は、従来の室外機１と熱交換装置室６に区画されている。室外機１には、室外熱交換器８とファンモーター９の運転により回転するファン１０があり、圧縮機（図示せず）と制御回路（図示せず）がある。【００２２】  熱交換装置室６には、吹き出し口５の前面に、熱交換装置１３を、上面が前方斜め上方に向くように傾斜させてベース７の上に設けると共に、熱交換装置１３の上に枠２１を設けて、枠２１の天井面に太陽電池パネル１２を配置している。さらに、傾斜している熱交換装置１３に平行してクロスフローファン１６を設けている、【００２３】  図３は、熱交換装置のフィンの側面図である。図３において、矢印の太陽の放射熱を吸熱する為に、フィン１７は階段状に複数枚並設されて設けている。【００２４】  図４は、熱交換装置のフィン及び伝熱管の側面図である。図４において、階段状に複数枚並設されてフィン１７を、伝熱管１８が貫通し、伝熱管１８の内部に水を送水するための水入口（図示せず）及び水出口２０を設けている。室外機１の吹き出し口５から放出する矢印の熱風の熱及び太陽の放射熱を吸熱して、伝熱管１８の内部の水を温める。【００２５】  図５は、熱交換装置の正面図である。図５において、複数枚並設されてフィン１７に、蛇行状に貫通している伝熱管１８と伝熱管１８の内部に水を送水するための水入口１９及び水出口２０とで構成されている。【００２６】    図６は、熱交換装置の上下左右に枠を設けた正面図ある。図６において、熱交換装置１３の上下左右に枠２１を取り付けている。【００２７】  図７は、熱交換装置に、太陽電池パネル及びクロスフローファンを設けた正面図である。図７において、熱交換装置１３の上の枠２１の天井面に、太陽電池パネル１２を配置して、左右の枠の上に、それぞれクロスフローファン１５，１６を設けている。クロスフローファン１５，１６は、太陽電池パネル１２の発電電力又は常用交流電源で運転できるようになっている。【００２８】  図８は、本発明の左側面に透明板を取り付けた斜視図である。図８において吹き出し口５から放出される熱風が、漏れずに熱交換装置１３だけを通過する様に、室外機１・熱交換装置１３及びベース７の左側面を、透明板１４で覆っている。【００２９】  図９は、本発明の右側面に透明板を取り付けた斜視図である。図９において吹き出し口５から放出される熱風が、漏れずに熱交換装置１３だけを通過する様に、室外機１・熱交換装置１３及びベース７の右側面を、透明板１４で覆っている。【００３０】  図１０は、本発明の空調機調和機の室外機の冷房運転状態を示す断面図である。図１０において、この様に構成された室外機１及び熱交換装置室６の冷房運転において、室外機１のファンモーター９が起動してファン１０の回転により、外気は矢印の方向へ進む。外気は、室外機１の内に吸い込まれ室外熱交換器８を通過することにより加熱され、熱風となって吹き出し口５から放出され、熱交換装置１３へ送風され、熱交換装置１３は、熱風を捕らえる。【００３１】  図１１は、本発明の冷房運転時の熱風により水を温める斜視図である。図１１において、吹き出し口５から放出する熱風を熱交換装置１３で捕らえて、水入口１９より水道水を送水すると、熱風は水道水により冷却された熱交換装置１３のフィン１７及び伝熱管１８に接触することにより、冷却され大気中へ放出するので、大気への熱負荷は軽減する。【００３２】  逆に、吹き出し口５の前面に傾斜して設けられている、熱交換装置１３の伝熱管１８の内部の水道水は、熱風により温まる。そのようにして温まった水道水を水出口２０より、温水として有効に利用でき、例えば、浴槽へ使用すれば、風呂の追い焚きの光熱費の削減及び大気への熱負荷の軽減になる。【００３３】  図１２は、熱交換装置へ外気を吹き付けるクロスフローファンの運転平面図である。図１２において、室外機１を使用しない時で、外気温度が水道水温より高い場合において、熱交換装置１３へ外気を枠２１の上に配置しているクロスフローファン１５・１６により矢印の方向に吹き付けると、熱交換装置１３は、外気を捕らえる。【００３４】  図１３は、クロスフローファン運転により、水を温めている状態の正面図である。図１３において、水入口１９より水道水を送水すると共に、クロスフローファン１５，１６を太陽電池パネル１２の発電電力又は常用交流電源で運転して、熱交換装置１３に外気を吹き付け、フィン１７・伝熱管１８及び伝熱管１８の内部の水道水は温まる。そのようにして温まった水道水を水出口２０より、温水として有効に利用でき、例えば、浴槽へ使用すれば、風呂の追い焚きの光熱費の削減及び大気への熱負荷の軽減になる。【００３５】  図１４は、本発明の太陽の放射熱を利用して、水を温めている状態の斜視図である。図１４において、水入口１９より水道水を送水すると共に、階段状に複数枚並設するフィン１７により、矢印の太陽の放射熱を吸熱して、フィン１７・伝熱管１８及び伝熱管１８の内部の水道水は温まる。そのようにして温まった水道水を水出口２０より、温水として有効に利用でき、例えば、浴槽へ使用すれば、風呂の追い焚きの光熱費の削減及び大気への熱負荷の軽減になる。【００３６】  図１５は、熱交換装置へ外気を吹き付ける室外機ファンの運転断面図である。図１５において、室外機１のファンモーター９を太陽電池パネル１２の発電電力又は常用交流電源が起動してファン１０の回転により、暖かい外気は矢印の方向へ進む。外気は、室外機１の内に吸い込まれ熱交換器８を通過して、吹き出し口５から放出されて、熱交換装置１３は、暖かい外気を捕らえる。【００３７】  図１６は、本発明の吹き出し口より放出する外気により水を温めている状態の斜視図である。図１６において、吹き出し口５から送風する暖かい外気を熱交換装置１３で捕らえて、熱交換装置１３のフィン１７及び水伝熱管１５を温めると共に、水入口１９から送水した伝熱管の内部の水道水も温める。そのようにして温まった水道水を水出口２０より、温水として有効に利用でき、例えば、浴槽へ使用すれば、風呂の追い焚きの光熱費の削減及び大気への熱負���の軽減になる。
【図面の簡単な説明】
【００３８】
【図１】従来の空気調和機の構成図
【図２】本発明の一実施例に係る空気調和機の熱回収システムの断面図
【図３】熱交換装置のフィンの側面図
【図４】熱交換装置のフィン及び伝熱管の側面図
【図５】熱交換装置１３の正面図である。
【図６】熱交換装置の上下左右に枠を設けた正面図
【図７】熱交換装置に、太陽電池パネル及びクロスフローファンを設けた正面図
【図８】本発明の左側面に透明板を取り付けた斜視図
【図９】本発明の右側面に透明板を取り付けた斜視図
【図１０】本発明の空調機調和機の室外機の冷房運転状態を示す断面図
【図１１】本発明の冷房運転時の熱風により水を温める斜視図
【図１２】熱交換装置へ外気を吹き付けるクロスフローファンの運転平面図
【図１３】クロスフローファン運転により、水を温めている状態の正面図
【図１４】本発明の太陽の放射熱を利用して、水を温めている状態の斜視図
【図１５】熱交換装置へ外気を吹き付ける室外機ファンの運転断面図
【図１６】本発明の吹き出し口より放出する外気により水を温めている状態の斜視図
【符号の説明】
【００３９】        １  室外機
２  室内機
３  冷媒配管
４  信号線
５  吹き出し口
６  熱交換装置室
７  ベース
８  室外熱交換器
９  ファンモーター
１０  ファン
１２  太陽電池パネル
１３  熱交換装置
１４  透明板
１５，１６  クロスフローファン
１７  フィン
１８  伝熱管
１９  水入口
２０  水出口
２１  枠
【図１】
2010091241.tif 000003
【図２】
2010091241.tif 000004
【図３】
2010091241.tif 000005
【図４】
2010091241.tif 000006
【図５】
2010091241.tif 000007
【図６】
2010091241.tif 000008
【図７】
2010091241.tif 000009
【図８】
2010091241.tif 000010
【図９】
2010091241.tif 000011
【図１０】
2010091241.tif 000012
【図１１】
2010091241.tif 000013
【図１２】
2010091241.tif 000014
【図１３】
2010091241.tif 000015
【図１４】
2010091241.tif 000016
【図１５】
2010091241.tif 000017
【図１６】
2010091241.tif 000018